(57)【要約】      （修正有）【課題】建物内における部屋、廊下、玄関等を好ましく飾るのみならず、更に進んで、建物内における部屋、廊下、玄関等内の消臭及び抗菌をも行うことができる額入りアートを提供する。【解決手段】額縁枠体１に支持板５を嵌着し、該支持板５における表側の面にはシート状のアート１９を取り付け、該支持板５における裏側の面には消臭及び抗菌の機能性を有する消臭抗菌シート２１を取り付けて額入りアートを形成する。【選択図】図２
0003167557.tif 000002
【実用新案登録請求の範囲】
【請求項１】
額縁枠体に支持板を嵌着し、該支持板における表側の面にはシート状のアートを取り付け、該支持板における裏側の面には消臭及び抗菌の機能性を有する消臭抗菌シートを取り付けてなることを特徴とする額入りアート。
【請求項２】
額入りアートを建物の壁面に対し前傾状態となすために、前記額縁枠体の裏面上部に脚を備えさせたことを特徴とする請求項１に記載の額入りアート。
【請求項３】
額入りアートを建物の壁面に対し前傾状態となすために、前記額縁枠体の裏面における上部と下部とに脚を備えさせ、当該上部の脚が当該下部の脚よりも長くなるようにしたことを特徴とする請求項１に記載の額入りアート。
【考案の詳細な説明】
【技術分野】
【０００１】
本考案は、額入りアートに関するものであり、特に消臭及び抗菌の機能性を有する額入りアートに係るものである。
【背景技術】
【０００２】
額入りアートとしては、例えば実用新案登録第３０６３９０２号公報に示す如き額縁枠体に支持板を着脱自在に嵌着してなる額における該支持板に絵画等のアートを取り付けてなるもの（以下「従来の額入りアート」という。）が従来より広く知られている。
【先行技術文献】
【特許文献】
【０００３】
【特許文献１】実用新案登録第３０６３９０２号公報
【考案の概要】
【考案が解決しようとする課題】
【０００４】
上記従来の額入りアートは、建物内における部屋、廊下、玄関等を好ましく飾るものであるが、本考案は、更に進んで、建物内における部屋、廊下、玄関等内の消臭及び抗菌をも行うことができる額入りアートを提供しようとしてなされたものである。
【課題を解決するための手段】
【０００５】
上記課題を解決するために、本考案は、下記の額入りアートを提供する。
【０００６】
（１）額縁枠体に支持板を嵌着し、該支持板における表側の面にはシート状のアートを取り付け、該支持板における裏側の面には消臭及び抗菌の機能性を有する消臭抗菌シートを取り付けてなることを特徴とする額入りアート（請求項１）。
【０００７】
（２）額入りアートを建物の壁面に対し前傾状態となすために、前記額縁枠体の裏面上部に脚を備えさせる（請求項２）。
【０００８】
（３）額入りアートを建物の壁面に対し前傾状態となすために、前記額縁枠体の裏面における上部と下部とに脚を備えさせ、当該上部の脚が当該下部の脚よりも長くなるようになす（請求項３）。
【考案の効果】
【０００９】
本考案による額入りアートにおける消臭抗菌シートは、消臭及び抗菌の機能性を有するため、該額入りアートが飾られている建物内における部屋、廊下、玄関等の臭気を吸収・分解すると共に抗菌する。すなわち、該額入りアートは、例えば、タバコの煙に含まれるアセトアルデヒド、酢酸、硫化水素等を吸着し、トイレ、生ゴミ、ペット等の臭い（アンモニア、トリメチルアミン、メチルメルカプタン等）を吸着し、建物の新築・改築直後のホルムアルデヒドを低減する。したがって、該額入りアートが飾られている建物内における部屋、廊下、玄関等の空気は爽やかで清潔なものとなる。
【図面の簡単な説明】
【００１０】
【図１】図１は、本考案による額入りアートの一例を示す正面図である。
【図２】図２は、額縁枠体の裏面上部に脚を備えさせた事例を示す断面図である。
【図３】図３は、額縁枠体の裏面における上部と下部とに脚を備えさせ、当該上部の脚が当該下部の脚よりも長くなるようにした事例を示す断面図である。
【図４】図４は、支持板と、シート状のアートと、消臭抗菌シートとを示す断面図である。
【図５】図５は、額縁枠体の背面図である。
【考案を実施するための形態】
【００１１】
符号１に示すものは額縁枠体である。額縁枠体１は、中央に開口部３を備えた好ましくは略長方形状の枠状体である。額縁枠体１は、好ましくは木製とする。
【００１２】
該額縁枠体１における開口部３には支持板５を好ましくは着脱自在に嵌着する。支持板５は、好ましくは木製とする。
【００１３】
支持板５における表側の面５ａにはシート状のアート１９を取り付ける。シート状のアート１９は、一例として絵画とするが、該絵画は、キャンバス等の基材１９ａ上に肉筆により絵画層１９ｂを形成したものであっても、紙質壁紙用の基材１９ａ上に印刷等により絵画層１９ｂを形成したものであっても差し支えない。図４参照。
【００１４】
支持板５における裏側の面５ｂには消臭及び抗菌の機能性を有する消臭抗菌シート２１を取り付ける。
【００１５】
消臭抗菌シート２１は、一例として、基材２１ａ上に銀担持ゼオライト等の金属担持ゼオライトと化学吸収型消臭剤とを含有する消臭抗菌層２１ｂを形成してなるものである。図４参照。
【００１６】
額入りアートを建物の壁面２３に対し前傾状態となすために、前記額縁枠体１の裏面１ａ上部に脚２５を備えさせる。図２参照。この事例においては、額縁枠体１は上部が該脚２５により建物の壁面２３から離れるため、前傾状態となる。その結果、額入りアートと建物の壁面２３との間に空間が形成されるため、消臭抗菌シート２１は消臭及び抗菌の機能を十分に発揮する。脚２５は、額縁枠体１の裏面１ａ上部に一例として２個形成する。
【００１７】
図３に示す事例においては、額入りアートを建物の壁面２３に対し前傾状態となすために、前記額縁枠体１の裏面１ａにおける上部と下部とに脚２７、２９を備えさせ、当該上部の脚２７が当該下部の脚２９よりも長くなるようにしている。この事例においては、額縁枠体１は上部が下部よりも建物の壁面２３から離れるため、前傾状態となる。もとより、額入りアートと建物の壁面２３との間に空間が形成されるため、消臭抗菌シート２１は消臭及び抗菌の機能を十分に発揮する。上部の脚２７は額縁枠体１の裏面１ａ上部に一例として２個形成され、下部の脚２９は額縁枠体１の裏面１ａ下部に一例として２個形成される。図５参照。
【００１８】
上記図２、図３に示す事例においては、額入りアートは、脚２５（２７、２９）により建物の壁面２３に直接取り付けてもよいが、吊り紐、チェーン等の吊り下げ手段あるいは支持具等により建物の壁面２３に取り付けても差し支えない。額入りアートを建物の壁面２３に対し前傾状態となしたときには、額入りアートの見映えが向上することはいうまでもない。
【符号の説明】
【００１９】
１  額縁枠体
１ａ  裏面
３  開口部
５  支持板
５ａ  表側の面
５ｂ  裏側の面
１９  シート状のアート
１９ａ  基材
１９ｂ  絵画層
２１  消臭抗菌シート
２１ａ  基材
２１ｂ  消臭抗菌層
２３  建物の壁面
２５  脚
２７  脚
２９  脚
【図１】
0003167557.tif 000003
【図２】
0003167557.tif 000004
【図３】
0003167557.tif 000005
【図４】
0003167557.tif 000006
【図５】
0003167557.tif 000007